【手続補正書】
【提出日】平成19年3月29日(2007.3.29)
【手続補正１】
【補正対象書類名】特許請求の範囲
【補正対象項目名】全文
【補正方法】変更
【補正の内容】
【特許請求の範囲】
【請求項１】
下部電極が形成されるプリント基板上にスペーサシート、上部電極シートおよびドームシートを積層したキー基板と、キー基板に積層されるキートップユニットとを有するキーユニットを備え、
筐体表面に形成されたキーユニット収容凹部内にキーユニットを固定した電子機器であって、
前記キー基板とキートップユニットの間には、四周裏面がキーユニット収容凹部の底壁に接着されて該接着界面を防水シーリング面とする薄膜状の防水シートが介装される電子機器。
【請求項２】
前記プリント基板上には、点灯デバイスが実装されるとともに、
防水シートは透光性を有する材料により形成されることを特徴とする請求項１記載の電子機器。
【請求項３】
前記キー基板は、キーユニット収容凹部の中央部に形成されたキー基板収容凹部内に収容されることを特徴とする請求項１または２記載の電子機器。
【請求項４】
前記キー基板は、裏面四周が防水シーリングを兼ねる接着層によりキー基板収容凹部の底壁面に固定され、
かつ、キー基板収容凹部には、キー基板からケース内部空間内に導入されるケーブルの挿通孔が開設されることを特徴とする請求項３記載の電子機器。
【請求項５】
前記キートップユニットは、キーユニット収容凹部に対して着脱可能なキーカバーにより押さえられて筐体からの脱落が防止されることを特徴とする請求項１から４のいずれかに記載の電子機器。
【請求項６】
電子機器の筐体表面に形成されたキーユニット収容凹部内に固定されるキーユニットであって、
下部電極が形成されるプリント基板上にスペーサシートと、
上部電極シートおよびドームシートを積層したキー基板と、
キー基板に積層されるキートップユニットとを有することを特徴とするキーユニット。
【請求項７】
前記プリント基板上には、点灯デバイスが実装されることを特徴とする請求項６記載のキーユニット。
【請求項８】
前記キー基板は、前記キーユニットが実装される電子機器の筐体表面に形成されたキーユニット収容凹部の中央部に形成されたキー基板収容凹部内に収容されることを特徴とする請求項６または７記載のキーユニット。
【請求項９】
前記キー基板は、前記キーユニットが実装される電子機器の裏面四周が防水シーリングを兼ねる接着層によりキー基板収容凹部の底壁面に固定され、
かつ、キー基板収容凹部には、キー基板からケース内部空間内に導入されるケーブルの挿通孔が開設されることを特徴とする請求項８記載のキーユニット。
【請求項１０】
前記キートップユニットは、キーユニット収容凹部に対して着脱可能なキーカバーにより押さえられて筐体からの脱落が防止されることを特徴とする請求項６から９のいずれかに記載のキーユニット。
【請求項１１】
下部電極が形成されるプリント基板上にスペーサシート、上部電極シートおよびドームシートを積層したキー基板と、キー基板に積層されるキートップユニットとを有するキーユニットを備え、
フロントケース表面に形成されたキーユニット収容凹部内にキーユニットを固定した携帯情報端末装置であって、
前記キー基板とキートップユニットの間には、四周裏面がキーユニット収容凹部の底壁に接着されて該接着界面を防水シーリング面とする薄膜状の防水シートが介装される携帯情報端末装置。
【請求項１２】
前記プリント基板上には、小型点灯デバイスが実装されるとともに、
防水シートは透光性を有する材料により形成される請求項１１記載の携帯情報端末装置。
【請求項１３】
前記キー基板は、キーユニット収容凹部の中央部に形成されたキー基板収容凹部内に収容される請求項１１または１２記載の携帯情報端末装置。
【請求項１４】
前記キー基板は、裏面四周が防水シーリングを兼ねる接着層によりキー基板収容凹部の底壁面に固定され、
かつ、キー基板収容凹部には、キー基板からケース内部空間内に導入されるケーブルの挿通孔が開設される請求項１３記載の携帯情報端末装置。
【請求項１５】
前記キートップユニットは、キーユニット収容凹部に対して着脱可能なキーカバーにより押さえられてフロントケースからの脱落が防止される請求項１１から１４のいずれかに記載の携帯情報端末装置。
【手続補正２】
【補正対象書類名】明細書
【補正対象項目名】発明の名称
【補正方法】変更
【補正の内容】
【発明の名称】電子機器、キーユニットおよび携帯情報端末装置
【手続補正３】
【補正対象書類名】明細書
【補正対象項目名】０００１
【補正方法】変更
【補正の内容】
【０００１】
本発明は、電子機器、キーユニットおよび携帯情報端末装置に関するものである。
【手続補正４】
【補正対象書類名】明細書
【補正対象項目名】０００２
【補正方法】変更
【補正の内容】
【０００２】
キー入力部の防水性能を向上させた電子機器、キーユニットあるいは携帯情報端末装置としては、特許文献１記載のものが知られている。この従来例において、キートップユニットは、スペーサシートを挟んだ上下電極とドームシートとを有するキー基板上に防滴シートを積層して形成される。防滴シートの表面周縁にはリブが形成され、該リブとケース裏面とによりキートップユニットを挟み付けることにより防水のためのシーリングがなされる。
【特許文献１】実開平６-２８９５２号公報
【手続補正５】
【補正対象書類名】明細書
【補正対象項目名】０００４
【補正方法】変更
【補正の内容】
【０００４】
この結果、リブの撓み代が過小になって所望のシール性能が発揮されないことがあり、信頼性に欠けるという欠点がある。
本発明は、以上の欠点を解消すべくなされたものであって、防水性能の信頼性を高めた電子機器、キーユニットおよび携帯情報端末装置の提供を目的とする。
【手続補正６】
【補正対象書類名】明細書
【補正対象項目名】０００５
【補正方法】変更
【補正の内容】
【０００５】
電子機器あるいは携帯情報端末装置のキー操作面は、フロントケース（筐体）９に形成されたキーユニット収容凹部１０内にキーユニット８を保持して形成される。キーユニット８は、キー基板６と、このキー基板６上に積層されるキートップユニット７とを有して構成され、キー基板６の電極等への浸水を防止するために、キー基板６とキートップユニット７との間に防水シート１１が介装される。
【手続補正７】
【補正対象書類名】明細書
【補正対象項目名】００１１
【補正方法】変更
【補正の内容】
【００１１】
上記キー操作面は、フロントケース９の表面にキーユニット８を配置して形成される。図３に示すように、キーユニット８は、キー基板６と、このキー基板６上に配置されるキートップユニット７とからなり、これらキー基板６とキートップユニット７との間に防水シート１１が介装される。図３（ｂ）に示すように、キー基板６は、フレキシブルプリント基板２上に形成される下部電極１と、上部電極シート４上の上部電極４ａとをスペーサシート３により形成される間隙を隔てて対峙させ、さらに上部電極シート４上に操作時の節度感等を付与する目的でドームシート５を被せて形成される。また、フレキシブルプリント基板２上には、後述するキートップ１９を照らす光源として使用されるＬＥＤ（点灯デバイスあるいは小型点灯デバイス１２）が実装され、さらに、一端部には配線部（ケーブル１４）が形成される。
【手続補正８】
【補正対象書類名】明細書
【補正対象項目名】００２０
【補正方法】変更
【補正の内容】
【００２０】
さらに、上記垂下壁１６ｄには、係止脚１６ｂが形成される。係止脚１６ｂには係止部１６ｃが突設され、キーカバー１６は、この係止部１６ｃをキーユニット収容凹部１０の側壁に形成された被係止部１０ａに係止して着脱可能に装着される。キーカバー１６を係止状態で装着し、フロントケース９に対して着脱可能とすることにより、砂等が紛れ込んだ際には、ユーザがキーカバー１６を取り外して砂等を取り除くことが可能になり、しかも、内部の気密は防水シート１１およびキー基板６により保障されるために、機能障害の原因となることもない。
（付記１）下部電極が形成されるプリント基板上にスペーサシート、上部電極シートおよびドームシートを積層したキー基板と、キー基板に積層されるキートップユニットとを有するキーユニットを備え、
筐体表面に形成されたキーユニット収容凹部内にキーユニットを固定した電子機器であって、
前記キー基板とキートップユニットの間には、四周裏面がキーユニット収容凹部の底壁に接着されて該接着界面を防水シーリング面とする薄膜状の防水シートが介装される電子機器。
（付記２）前記プリント基板上には、点灯デバイスが実装されるとともに、
防水シートは透光性を有する材料により形成されることを特徴とする付記１記載の電子機器。
（付記３）前記キー基板は、キーユニット収容凹部の中央部に形成されたキー基板収容凹部内に収容されることを特徴とする付記１または２記載の電子機器。
（付記４）前記キー基板は、裏面四周が防水シーリングを兼ねる接着層によりキー基板収容凹部の底壁面に固定され、
かつ、キー基板収容凹部には、キー基板からケース内部空間内に導入されるケーブルの挿通孔が開設されることを特徴とする付記３記載の電子機器。
（付記５）前記キートップユニットは、キーユニット収容凹部に対して着脱可能なキーカバーにより押さえられて筐体からの脱落が防止されることを特徴とする付記１から４のいずれかに記載の電子機器。
（付記６）電子機器の筐体表面に形成されたキーユニット収容凹部内に固定されるキーユニットであって、
下部電極が形成されるプリント基板上にスペーサシートと、
上部電極シートおよびドームシートを積層したキー基板と、
キー基板に積層されるキートップユニットとを有することを特徴とするキーユニット。
（付記７）前記プリント基板上には、点灯デバイスが実装されることを特徴とする付記６記載のキーユニット。
（付記８）前記キー基板は、前記キーユニットが実装される電子機器の筐体表面に形成されたキーユニット収容凹部の中央部に形成されたキー基板収容凹部内に収容されることを特徴とする付記６または７記載のキーユニット。
（付記９）前記キー基板は、前記キーユニットが実装される電子機器の裏面四周が防水シーリングを兼ねる接着層によりキー基板収容凹部の底壁面に固定され、
かつ、キー基板収容凹部には、キー基板からケース内部空間内に導入されるケーブルの挿通孔が開設されることを特徴とする付記８記載のキーユニット。
（付記１０）前記キートップユニットは、キーユニット収容凹部に対して着脱可能なキーカバーにより押さえられて筐体からの脱落が防止されることを特徴とする付記６から９のいずれかに記載のキーユニット。
（付記１１）下部電極が形成されるプリント基板上にスペーサシート、上部電極シートおよびドームシートを積層したキー基板と、キー基板に積層されるキートップユニットとを有するキーユニットを備え、
フロントケース表面に形成されたキーユニット収容凹部内にキーユニットを固定した携帯情報端末装置であって、
前記キー基板とキートップユニットの間には、四周裏面がキーユニット収容凹部の底壁に接着されて該接着界面を防水シーリング面とする薄膜状の防水シートが介装される携帯情報端末装置。
（付記１２）前記プリント基板上には、小型点灯デバイスが実装されるとともに、
防水シートは透光性を有する材料により形成される付記１１記載の携帯情報端末装置。
（付記１３）前記キー基板は、キーユニット収容凹部の中央部に形成されたキー基板収容凹部内に収容される付記１１または１２記載の携帯情報端末装置。
（付記１４）前記キー基板は、裏面四周が防水シーリングを兼ねる接着層によりキー基板収容凹部の底壁面に固定され、
かつ、キー基板収容凹部には、キー基板からケース内部空間内に導入されるケーブルの挿通孔が開設される付記１３記載の携帯情報端末装置。
（付記１５）前記キートップユニットは、キーユニット収容凹部に対して着脱可能なキーカバーにより押さえられてフロントケースからの脱落が防止される付記１１から１４のいずれかに記載の携帯情報端末装置。
【手続補正９】
【補正対象書類名】明細書
【補正対象項目名】００２２
【補正方法】変更
【補正の内容】
【００２２】
１        下部電極
２        プリント基板
３        スペーサシート
４        上部電極シート
５        ドームシート
６        キー基板
７        キートップユニット
８        キーユニット
９        フロントケース（筐体）
１０      キーユニット収容凹部
１１      防水シート
１２      小型点灯デバイス（点灯デバイス）
１３      キー基板収容凹部
１４      ケーブル
１５      挿通孔
１６      キーカバー